(57)【要約】      （修正有）【課題】より簡単な操作でバックインボックスに収納された飲料バックを取り出すことができる飲料バッグ内蔵用ボックスを提供することである。【解決手段】本発明は、バックインボックス１において、前後一対の外側天板２６、２８の外側端縁２８ｂに外側半孔２８ｃが切欠形成され、左右一対の内側天板２２、２４の内側端縁２２ｂ、２４ｂを突き合せて折り畳み、前記外側端縁２６ｂ、２８ｂを折り畳んだとき、前後一対の前記外側半孔２６ｃ、２８ｃが対向して押孔３４が形成されるとともに前記押孔３４は前記内側端縁２２ｂ、２４ｂから左右にずれた位置に形成され、前記内側天板２２、２４と外側天板２６、２８とは複数個の接着剤部２６ｄにより接着され、前記押孔３４を介して前記外側天板２６、２８と前記内側天板２２、２４を分離して天板を開放し、前記飲料バッグ２を取り出すことが可能な飲料バッグ内蔵用押孔付きボックスである。【選択図】図１
2013039933.tif 000002
【特許請求の範囲】
【請求項１】
飲料を収容した飲料バッグを内蔵するボックスで前記飲料バッグを前記ボックスの天板から取り出すことが可能なボックスにおいて、前記天板は前記ボックスの胴周りを形成する４面の側板の上端面又は下端面に形成され、前記天板はバッグの内側に対向して折り畳まれる左右一対の内側天板とバッグの外側に対向して折り畳まれる前後一対の外側天板から構成され、前後一対の前記外側天板の自由端縁となる外側端縁には外側半孔が切欠形成され、左右一対の前記内側天板の内側端縁を突き合せて内側端縁線が出現するように前記内側天板を折り畳み、前後一対の前記外側端縁を突き合せて外側端縁線が出現するように前記外側天板を折り畳んだとき、前後一対の前記外側端縁の前記外側半孔が対向して押孔が形成されるとともに前記押孔は前記内側端縁線から左右にずれた位置に形成され、左右一対の前記内側天板と前後一対の外側天板とは複数個の接着剤部により接着され、前記押孔を介して前記外側天板と前記内側天板を分離して前記天板を開放し前記ボックスから前記飲料バッグを取り出すことが可能なことを特徴とする飲料バッグ内蔵用の押孔付きボックス。
【請求項２】
前記外側半孔は前記外側端縁に沿って複数個所形成され、前後一対の前記外側端縁を突き合せて外側端縁線が出現するように前記外側天板を折り畳んだとき、複数の前記外側半孔が対向して複数の前記押孔が形成される請求項１に記載の飲料バッグ内蔵用の押孔付きボックス。
【請求項３】
前記外側半孔は前記外側端縁に沿って２個所形成され、前後一対の前記外側端縁を突き合せて外側端縁線が出現するように前記外側天板を折り畳んだとき、２個の前記外側半孔が対向して２個の前記押孔が形成され、２個の前記押孔は内側端縁線に関して左右略対称位置に形成される請求項２に記載の飲料バッグ内蔵用の押孔付きボックス。
【請求項４】
前記接着剤部は前記押孔を通して視認できない位置に配置される請求項１、２又は３に記載の飲料バッグ内蔵用の押孔付きボックス。
【請求項５】
前記内側端縁線と前記外側端縁線とは略直交するように配置される請求項１〜４のいずれかに記載の飲料バッグ内蔵用の押孔付きボックス。
【請求項６】
前記飲料バッグが吐出口を有し、前記飲料バッグが前記ボックスに内蔵されたときに前記吐出口が前記上端面又は下端面近傍に位置する場合、前記天板は前記吐出口の位置から遠方に位置するように配置される請求項１〜５のいずれかに記載の飲料バッグ内蔵用の押孔付きボックス。
【請求項７】
前記押孔は、円形、四角形、三角形を含む形状から選択される請求項１〜６のいずれかに記載の飲料バッグ内蔵用の押孔付きボックス。
【請求項８】
前記飲料は飲料水であり、前記飲料バッグは飲料水バッグである請求項１〜７のいずれかに記載の飲料バッグ内蔵用の押孔付きボックス。
【請求項９】
前記天板の内側に対向して底板が前記４面の側板の端面に形成され、前記底板はバッグの内側に対向して折り畳まれる左右一対の内側底板とバッグの外側に対向して折り畳まれる前後一対の外側底板から構成され、前後一対の前記外側底板の底板自由端縁となる底板外側端縁には底板外側半孔が切欠形成され、左右一対の前記内側底板の底板内側端縁を突き合せて底板内側端縁線が出現するように前記内側底板を折り畳み、前後一対の前記底板外側端縁を突き合せて底板外側端縁線が出現するように前記外側天板を折り畳んだとき、前後一対の前記底板外側端縁の前記底板外側半孔が対向して底板押孔が形成されるとともに前記底板押孔は前記底板内側端縁線から左右にずれた位置に形成され、左右一対の前記内側底板と前後一対の外側底板とは複数個の接着剤部により接着され、前記底板押孔を介して前記外側底板と前記内側底板を分離して前記底板を開放する請求項１〜８に記載の飲料バッグ内蔵用の押孔付きボックス。
【発明の詳細な説明】
【技術分野】
【０００１】
本発明は、飲料バッグ内蔵用のボックスに関し、更に詳細には、飲料を収容した飲料バッグを内蔵するボックスで前記飲料バッグを前記ボックスの天板から取り出すことが可能なボックスに関する
【背景技術】
【０００２】
従来、バックインボックスと称される飲料バッグ内蔵用のボックスは、例えば、特許第４１８４７２０号公報（特許文献１）や第特許４４４４１６７号公報（特許文献２）に記載されるように、内袋と称される飲料バッグを内蔵し、注出口と称される吐出口をボックスの外部に露出させ、吐出口から飲料を注出して使用される。特許文献１、２に記載されるバックインボックスから注出口を突出させることがその構造の目的であり、使用中にバックインボックスの天板が開かないよう、テープなどで天板等が強固に固定されていた。
【０００３】
図１６は、特許文献１に記載される従来のバックインボックス１００の斜視概略図である。飲料を充填した内袋１１０（以下、「飲料バック」とも称する）と、前記内袋１１０を収納する外箱１２０とからなっている。内袋１１０は、プラスチックフィルムの袋であり、前記外箱１２０は、蓋部１２１、底部２２、胴部２３で構成された直方体または立方体の箱であり、段ボール紙でできている。また、蓋部１２１には注出口となる注出部材１１７が具備され、テープ２００により蓋部１２１が開かないよう強固に固定されている。
【先行技術文献】
【特許文献】
【０００４】
【特許文献１】特許第４１８４７２０号公報
【特許文献２】特許第４４４４１６７号公報
【発明の概要】
【発明が解決しようとする課題】
【０００５】
従来、バックインボックス１００において、飲料バックである内袋１１０は、外箱１２０の中に収納された状態で使用され、内袋１１０を取り出す際のことを十分に考慮していたとは云えなかった。即ち、バックインボックス１００は、テープ２００などにより蓋部１２１や底部１２２が開かないよう強固に固定され、内袋１１０を取り出すことが容易ではなかった。内袋１１０の飲料バックは、水、酒、ソフトドリンク等、種々の飲料を充てんさせたものであり、多様な環境、場所、目的で利用することができる。更に、内袋１１０の飲料バックを交換する際に、テープ２００などにより蓋部１２１や底部１２２が強固に固定されている場合には、容易に内袋１１０を取り出すことができなかった。更に、蓋部１２１や底部１２２が開かないよう強固に固定されるから、内袋１１０を取り出した後の外箱１２０を簡単に折り畳むことができなかった。
【０００６】
本発明の目的は、上記課題に鑑み、より簡単な構造及びより簡単な操作で、容易にバックインボックスに収納された飲料バックを取り出すことができる飲料バッグ内蔵用ボックスを提供することを第１の目的とし、飲料バッグ内蔵用ボックスの天板と底板を開放し、より簡単に折り畳むことが可能な飲料バッグ内蔵用ボックスを提供することを第２の目的とする。
【課題を解決するための手段】
【０００７】
本発明の第１の形態は、飲料を収容した飲料バッグを内蔵するボックスで前記飲料バッグを前記ボックスの天板から取り出すことが可能なボックスにおいて、前記天板は前記ボックスの胴周りを形成する４面の側板の上端面又は下端面に形成され、前記天板はバッグの内側に対向して折り畳まれる左右一対の内側天板とバッグの外側に対向して折り畳まれる前後一対の外側天板から構成され、前後一対の前記外側天板の自由端縁となる外側端縁には外側半孔が切欠形成され、左右一対の前記内側天板の内側端縁を突き合せて内側端縁線が出現するように前記内側天板を折り畳み、前後一対の前記外側端縁を突き合せて外側端縁線が出現するように前記外側天板を折り畳んだとき、前後一対の前記外側端縁の前記外側半孔が対向して押孔が形成されるとともに前記押孔は前記内側端縁線から左右にずれた位置に形成され、左右一対の前記内側天板と前後一対の外側天板とは複数個の接着剤部により接着され、前記押孔を介して前記外側天板と前記内側天板を分離して前記天板を開放し前記ボックスから前記飲料バッグを取り出すことが可能な飲料バッグ内蔵用の押孔付きボックスである。
【０００８】
本発明の第２の形態は、第１の形態において、前記外側半孔は前記外側端縁に沿って複数個所形成され、前後一対の前記外側端縁を突き合せて外側端縁線が出現するように前記外側天板を折り畳んだとき、複数の前記外側半孔が対向して複数の前記押孔が形成される飲料バッグ内蔵用の押孔付きボックスである。
【０００９】
本発明の第３の形態は、第２の形態において、前記外側半孔は前記外側端縁に沿って２個所形成され、前後一対の前記外側端縁を突き合せて外側端縁線が出現するように前記外側天板を折り畳んだとき、２個の前記外側半孔が対向して２個の前記押孔が形成され、２個の前記押孔は内側端縁線に関して左右略対称位置に形成される飲料バッグ内蔵用の押孔付きボックスである。
【００１０】
本発明の第４の形態は、第１、第２又は第３の形態において、前記接着剤部は前記押孔を通して視認できない位置に配置される飲料バッグ内蔵用の押孔付きボックスである。
【００１１】
本発明の第５の形態は、第１〜第４のいずれかの形態において、前記内側端縁線と前記外側端縁線とは略直交するように配置される飲料バッグ内蔵用の押孔付きボックスである。
【００１２】
本発明の第６の形態は、第１〜第５のいずれかの形態において、前記飲料バッグが吐出口を有し、前記飲料バッグが前記ボックスに内蔵されたときに前記吐出口が前記上端面又は下端面近傍に位置する場合、前記天板は前記吐出口の位置から遠方に位置するように配置される飲料バッグ内蔵用の押孔付きボックスである。
【００１３】
本発明の第７の形態は、第１〜第６のいずれかの形態において、前記押孔は、円形、四角形、三角形を含む形状から選択される飲料バッグ内蔵用の押孔付きボックスである。
【００１４】
本発明の第８の形態は、第１〜第７のいずれかの形態において、前記飲料は飲料水であり、前記飲料バッグは飲料水バッグである飲料バッグ内蔵用の押孔付きボックスである。
【００１５】
本発明の第９の形態は、第１〜第８のいずれかの形態において、前記天板の内側に対向して底板が前記４面の側板の端面に形成され、前記底板はバッグの内側に対向して折り畳まれる左右一対の内側底板とバッグの外側に対向して折り畳まれる前後一対の外側底板から構成され、前後一対の前記外側底板の底板自由端縁となる底板外側端縁には底板外側半孔が切欠形成され、左右一対の前記内側底板の底板内側端縁を突き合せて底板内側端縁線が出現するように前記内側底板を折り畳み、前後一対の前記底板外側端縁を突き合せて底板外側端縁線が出現するように前記外側天板を折り畳んだとき、前後一対の前記底板外側端縁の前記底板外側半孔が対向して底板押孔が形成されるとともに前記底板押孔は前記底板内側端縁線から左右にずれた位置に形成され、左右一対の前記内側底板と前後一対の外側底板とは複数個の接着剤部により接着され、前記底板押孔を介して前記外側底板と前記内側底板を分離して前記底板を開放する飲料バッグ内蔵用の押孔付きボックスである。
【発明の効果】
【００１６】
本発明の第１の形態によれば、前記外側天板を折り畳んだとき、前後一対の前記外側端縁の前記外側半孔が対向して押孔が形成され、左右一対の前記内側天板と前後一対の外側天板とは複数個の接着剤部により接着されるとともに前記押孔は前記内側端縁線から左右にずれた位置に形成されるから、前記押孔を介して前記外側天板と前記内側天板を分離して前記天板を開放し、容易に前記ボックスから前記飲料バッグを取り出すことができる。前記接着剤部には、接着剤、両面テープなどの接着材料を用いることができ、前記押孔に指や棒を押し込み、前記外側天板と前記内側天板を分離し、前記天板を開放できれば、種々の接着材料を利用することができる。また、前記押孔は、指や棒などを押し込み、前記外側天板から前記内側天板を分離できれば良く、後述のように、種々の形状の押孔を形成することができる。即ち、前記外側天板を折り畳んだとき、前記外側半孔が対向して押孔が形成されれば良く、種々の形状の前記外側半孔を形成して良く、非対称でも良い。
前記飲料バッグは、飲料水、酒、ジューズ等の飲料を充填して用いられ、ポリエチレン、ポリ塩化ビニル等の柔軟性を有する袋が用いられ、ポリエチレン製の飲料バッグがより好ましい。前記飲料バッグは、透明な袋を用いることにより、飲料の残量をより簡単に視認することができるが、半透明のものを用いても良く、不透明な袋を用いても、形状や重さから残量を確認することができる。
前記ボックスは、段ボールなど安価で軽い材料を用いることが好ましく、前記押孔やそれを形成する外側半孔を簡単に形成することができる。但し、前記ボックスを複数回用いる場合、合成樹脂などからなる比較的軽量な素材からなるボックスを用いることが可能である。
更に、前記ボックスは、より簡単に天板を開放できるから、後述するように、簡単に前記ボックスを板状に変形し、折り畳むことができる。
【００１７】
本発明の第２の形態によれば、前記外側半孔は前記外側端縁に沿って複数個所形成され、前後一対の前記外側端縁を突き合せて外側端縁線が出現するように前記外側天板を折り畳んだとき、複数の前記外側半孔が対向して複数の前記押孔が形成されるから、より確実に且つ簡単に前記外側天板から前記内側天板を分離することができる。前記押孔が１つの場合、全ての接着剤部を分離できないことがあり、前記外側天板の前記外側端縁に形成された前記外側半孔から指などを押し込み、前記外側天板を前記内側天板から完全に分離させる必要がある。しかしながら、前記押孔が複数設けられることにより、前記複数の押孔を介して前記外側天板から前記内側天板をより確実に且つ簡単に分離することができる。
【００１８】
本発明の第３の形態によれば、前記外側半孔は前記外側端縁に沿って２個所形成され、前後一対の前記外側端縁を突き合せて外側端縁線が出現するように前記外側天板を折り畳んだとき、２個の前記外側半孔が対向して２個の前記押孔が形成され、２個の前記押孔は内側端縁線に関して左右略対称位置に形成されるから、２個の前記押孔を介して、簡単に前記外側天板から前記内側天板の両面を分離することができる。前記内側端縁線は、前記内側天板の内側端縁を突き合せたものであり、第３の形態によれば、２個の前記押孔が突き合わされた前記内側天板の各々の上部に位置することになる。よって、２個の前記押孔に指などを押し込めば、突き合わされた前記内側天板の両方を同時に又は片側ずつを押すことができ、前記外側天板から前記内側天板の両面を分離することができる。
【００１９】
本発明の第４の形態によれば、前記接着剤部は前記押孔を通して視認できない位置に配置されるから、前記押孔に指や棒などを押し込んでも、前記接着剤部の接着剤や両面テープ等に直接接触することがなく、指などを綺麗なまま維持することができる。更に、前記接着剤部は、全て前記外側天板と前記内側天板の間にあり、より効率的に前記外側天板と前記内側天板を接着することができる。
【００２０】
本発明の第５の形態によれば、前記内側端縁線と前記外側端縁線とは略直交するように配置されるから、前記押孔に指や棒などを押し込んだ場合、少なくとも前記押孔が２つの前記内側天板のいずれかの中心位置より遠くない位置にあり、前記内側天板の一方をより確実に分離することができる。例えば、前記外側端縁線に対して前記内側端縁線が斜めに配置され、前記内側天板の一方のみがバックの天面を覆う場合、他方の内側天板のみを押しても、前記外側天板から前記内側天板を分離する作業に時間が掛かり、簡単に天板を開放することが困難になる。前記内側端縁線と前記外側端縁線が略直交するように配置されことにより、少なくとも前記押孔が２つの前記内側天板のいずれかの中心位置より遠くない位置にあるから、前記押孔から指等を押し込み、前記内側天板の一方をより確実に分離することができる。
【００２１】
本発明の第６の形態によれば、前記飲料バッグが吐出口を有し、前記飲料バッグが前記ボックスに内蔵されたときに前記吐出口が前記上端面又は下端面近傍に位置する場合、前記天板は前記吐出口の位置から遠方に位置するように配置されるから、前記吐出口を前記押孔から指等を押し込んだ時、前記内側天板を介して前記吐出口を押すことが無く、前記飲料バックの天面近傍にある前記内側天板を押すことができる。即ち、前記内側天板を介して前記吐出口を押すことが無く、前記外側天板から前記内側天板を分離することができる。
【００２２】
本発明の第７の形態によれば、前記押孔は、円形、四角形、三角形を含む形状から選択されるから、適宜に種々の形状に押孔及び押孔を構成する外側半孔を切欠形成することができる。前記押孔は、指や棒等を押し込み、前記外側天板から前記内側天板を分離することができれば良く、ボックスの製造装置等に応じて、種々の形状の押孔及び押孔を構成する外側半孔を形成することができる。
【００２３】
本発明の第８の形態によれば、前記飲料は飲料水であり、前記飲料バッグは飲料水バッグであるから、容易にバックインボックスから前記飲料水バッグを取り出すことができ、飲料水を冷却したり、加熱したりして、種々の目的に応じて利用することができる。
【００２４】
本発明の第９の形態によれば、前記底板はバッグの内側に対向して折り畳まれる左右一対の内側底板とバッグの外側に対向して折り畳まれる前後一対の外側底板から構成され、前後一対の前記外側底板の底板自由端縁となる底板外側端縁には底板外側半孔が切欠形成され、左右一対の前記内側底板の底板内側端縁を突き合せて底板内側端縁線が出現するように前記内側底板を折り畳み、前後一対の前記底板外側端縁を突き合せて底板外側端縁線が出現するように前記外側天板を折り畳んだとき、前後一対の前記底板外側端縁の前記底板外側半孔が対向して底板押孔が形成されるとともに前記底板押孔は前記底板内側端縁線から左右にずれた位置に形成され、左右一対の前記内側底板と前後一対の外側底板とは複数個の接着剤部により接着されるから、前記底板押孔を介して前記外側底板と前記内側底板をより簡単に分離して前記底板を開放することができる。即ち、前記ボックスの側板同士や内側天板と外側天板及び／又はそれらの一部同士を重ね、更に前記外側底板と前記内側底板及び／又はそれらの一部同士を重ね、前記押孔付きボックス１０を略板状に変形し、その後、自在に折り畳むことができる。
【図面の簡単な説明】
【００２５】
【図１】図1は、本発明に係る飲料バッグを内蔵する押孔付きボックスの構成斜視図であり、（１Ａ）は天板を開放した状態の押孔付きボックスの斜視図、（１Ｂ）は天板を閉鎖した状態の押孔付きボックスの斜視図である。
【図２】図２は、本発明に係る押孔付きボックスの押孔に親指を押し込む直前の概略説明図である。
【図３】図３は、本発明に係る押孔付きボックスの押孔に親指を押し込んで内側天板を外側天板から分離する概略説明断面図で、図２のＡ−Ａ線断面図に対応する。
【図４】図４は、本発明に係る押孔の外側半孔を指で引き上げて外側天板を内側天板から分離する概略説明斜視図である。
【図５】図５は、本発明に係る押孔のもう一つの外側半孔を指で引き上げて外側天板を内側天板から分離する概略説明斜視図である。
【図６】図６は、本発明に係る押孔付きボックスにおいて外側天板と内側天板を完全に開放した概略説明斜視図である。
【図７】図７は、本発明に係る押孔付きボックスの天板を開放して飲料バッグを取り出した状態の概略説明斜視図で、（７Ａ）は天板を開放して飲料バッグが取り出された押孔付きボックス、（７Ｂ）は押孔付きボックスから取り出された飲料バッグである。
【図８】図８は、本発明に係る飲料バッグを内蔵する２個の押孔を有した押孔付きボックスの構成斜視図であり、（８Ａ）は天板を開放した状態の押孔付きボックスの斜視図、（８Ｂ）は天板を閉鎖した状態の押孔付きボックスの斜視図である。
【図９】図９は、本発明に係る２個の押孔を有した押孔付きボックスの一つの押孔に親指を押し込んで内側天板を外側天板から分離する概略説明断面図である。
【図１０】図１０は、本発明に係る２個の押孔を有した押孔付きボックスのもう一つの押孔に親指を押し込んで内側天板を外側天板から分離する概略説明断面図である。
【図１１】図１１は、本発明に係る２個の押孔の外側半孔を夫々指で引き上げて外側天板を内側天板から分離する概略説明斜視図である。
【図１２】図１２は、本発明に係る２個の押孔のもう一方の外側半孔を指で引き上げて外側天板を内側天板から分離する概略説明斜視図である。
【図１３】図１３は、本発明に係る２個の押孔を有した押孔付きボックスにおいて外側天板と内側天板を完全に開放した概略説明斜視図である。
【図１４】図１４は、本発明に係る２個の押孔を有した押孔付きボックスの天板を開放して飲料バッグを取り出した状態の概略説明斜視図で、（１４Ａ）は天板を開放して飲料バッグが取り出された押孔付きボックス、（１４Ｂ）は押孔付きボックスから取り出された飲料バッグである。
【図１５】図１５は、本発明に係る押孔付きボックスを板状に変形した時の概略構成図である。
【図１６】図１６は、従来のバックインボックスの斜視概略図である。
【発明を実施するための形態】
【００２６】
本発明の実施形態に係る飲料バッグ内蔵用の押孔付きボックスの図面を参照して以下に説明する。
図1は、本発明に係る飲料バッグ２を内蔵する押孔付きボックス１０の構成斜視図であり、（１Ａ）は天板２０を開放した状態の押孔付きボックス１０の斜視図、（１Ｂ）は天板２０を閉鎖した状態の押孔付きボックス１０の斜視図である。（１Ａ）に示すように、バッグインボックス１は、水、酒、ジューズ等の飲料を収容した飲料バック２と、この飲料バック２を内蔵する押孔付ボックス１０から構成され、（１Ｂ）の天板２０を開放すると、飲料バッグ２を押孔付ボックス１０から取り出すことが可能である。（１Ａ）に示すように、バッグインボックス１において、飲料バッグ２は、バック天面４がバッグインボックス１の開放側に位置し、バック周囲６の内部における底板１２の近くに飲料バッグ２の吐出口７が位置し、バック底面８が底板１２に載置されている。バック周囲６や底板１２に吐出口７の位置に応じた注出孔等を設けてこともできる。
【００２７】
図１の（１Ａ）に示すように、押孔付ボックス１０は、左右一対の内側天板２２、２４、前後一対の外側天板２６、２８、４面ある側面１４からなるバック周囲６及び底板１２から構成されている。（１Ａ）の前記左右一対の内側天板２２、２４は、各々、内側折線２２ａ、２４ａで折り畳まれ、内側端縁２２ｂ、２４ｂを突き合せて折り畳むと、（１Ｂ）に示すように、内側端縁線３０が出現する。前記一対の外側天板２６、２８は、各々、外側折線２６ａ、２８ａで折り畳まれ、外側端縁２６ｂ、２８ｂを突き合せて折り畳むと、（１Ｂ）に示すように、外側端縁線３２が出現する。（１Ａ）に示すように、外側端縁２６ｂ、２８ｂには、夫々、外側半孔２６ｃ、２８ｃが切欠形成されており、（１Ｂ）に示すように、前記外側端縁線３２が出現するとき、外側半孔２６ｃ、２８ｃが互いに対向して押孔３４が形成される。（１Ａ）に示すように、前記前後一対の外側天板２６、２８には、夫々、４箇所づつ接着剤部２６ｄが前記内側天板２２、２４と接触する側に設けられ、（１Ｂ）に示すように、左右一対の内側天板２２、２４と前後一対の外側天板２６、２８が接着される。（１Ｂ）では、前記押孔３４から一方の内側天板２２を押し込むことができる。
【００２８】
図２は、本発明に係る押孔付きボックスの押孔に親指を押し込む直前の概略説明図である。以下、同じ部材又は同じ作用を有する同様の部材には、同一符号を付しており、同様の作用のみを有し、説明が必要でないときは説明を省略する。図２に示すように、指で天板２０を開放させる場合、前記押孔３４に親指４０を押し込むことにより、図１の（１ｂ）に示した内側天板２２をより強く押し込むことができる。指を使わない場合、棒などを用いて前記内側天板２２を押し込んでも良い。
【００２９】
図３は、本発明に係る押孔付きボックス１０の押孔３４に親指４０を押し込んで内側天板２２を外側天板２８から分離する概略説明断面図で、図２のＡ−Ａ線断面図に対応する。バッグインボックス１から飲料バック２を取り出す際、先ず、押孔付きボックス１０の押孔３４に親指４０を押し込み、内側天板２２を押すことにより、この内側天板２２と外側天板２８が分離する。このとき、図２の接着剤部２６ｄが分離し、図３に示すように、分離した接着跡部４２が形成される。飲料バック２は、飲料４４で満たされていても、柔軟であるから、バックへこみ部２ａが形成され、内側天板２２と外側天板２８の分離を邪魔することはない。
【００３０】
図４は、本発明に係る押孔３４の外側半孔２８ｃを指で引き上げて外側天板２８を内側天板２２、２４から分離する概略説明斜視図である。図３に示したように、外側天板２６、２８が内側天板２２から分離するように、親指４０を押し込んで内側天板２２を押せば、この内側天板２２における押孔３４の近くの又は前記内側天板２２における全部の前記接着剤部２６ｄ、２８ｄ（図１の（１Ｂ）参照）を分離させることができる。図４では、図３の接着跡部４２がいくつか形成され、容易に外側天板２８を親指４０の腹で引き上げることにより、外側天板２８を開くことができる。図３に示した親指４０の押し込みでは、図１（１Ｂ）の前記接着剤部２８ｄの全てを分離させなくとも、一部が分離して図３のような接着跡部４２が形成されるか、又は前記接着跡部４２の前駆状態にあれば、容易に外側天板２８を親指４０の腹で引き上げて開くことができる。このとき、図４では、内側天板２４の側にある接着剤部２８ｄ（図１の（１Ｂ）参照）も分離し、図３のような接着跡部４２が形成され、外側天板２８が開かれる。尚、前記前駆状態とは、接着剤部と接着跡部の中間状態を指し、完全には接着が分離していないが、部分的に分離しているところ、接着剤が伸びて分離し易くなっている状態を指す。
【００３１】
図５は、本発明に係る押孔のもう一つの外側半孔２６ｃを指で引き上げて外側天板２６を内側天板２２、２４から分離する概略説明斜視図である。図５では、図４にける操作により、外側天板２８が完全に開かれており、外側天板２８の内側表面に接着跡部４２が４箇所形成され、それらに対応する内側天板２２、２４の上面に４箇所の接着跡部４２が形成されている。同様に、親指４０の腹で外側天板２６の外側半孔４６ｃを引き上げて、外側天板２６を開いている。前述のように、図３に示した親指４０の押し込みでは、内側天板２２の側にある前記接着剤部２６ｄ（図１参照）の全てを分離させなくとも、一部が分離して図３のような接着跡部４２が形成されるか、又は前記接着跡部４２の前駆状態にあれば、図５に示すように、容易に外側天板２６の外側半孔２６ｃを親指４０の腹で引き上げ、開くことができる。
【００３２】
図６は、本発明に係る押孔付きボックス１０において外側天板２６、２８と内側天板２２、２４を完全に開放した概略説明斜視図である。図２〜５を示して説明した操作を行うことにより、図６のように、押孔付きボックス１０において外側天板２６、２８と内側天板２２、２４を完全に開放することができる。図２に示した接着剤部２６ｄ、２８ｄが全て分離され、図６では、外側天板２６、２８の内側と内側天板２２、２４の上面に各々対応する接着跡部４２が形成されている。即ち、図２に示した天板２０が完全に解放され、飲料バック２を取り出すことができる。
【００３３】
図７は、本発明に係る押孔付きボックス１０の天板を開放して飲料バッグ２を取り出した状態の概略説明斜視図で、（７Ａ）は天板を開放して飲料バッグ２が取り出された押孔付きボックス１０、（７Ｂ）は押孔付きボックス１０から取り出された飲料バッグ２である。本発明の第１の目的は、（７Ａ）の押孔付きボックス１０から（７Ｂ）の飲料バック２を容易に取り出すことである。外側天板２６の外側半孔２６ｃと外側天板２８の外側半孔２８ｃを設け、それらが向き合って押孔が形成され、これを利用することによって、上述したように、容易に（７Ｂ）の飲料バック２を容易に取り出すことができる。即ち、本発明に係るバッグインボックスでは、天板を容易に開放して、押孔付きボックス１０に内蔵される飲料バッグ２を取り出すことができる。
【００３４】
更に、図７に示すように、（７Ｂ）の飲料バック２を簡単に取り出すことができると共に、（７Ａ）に示した押孔付きボックス１０は、上述のように外側半孔２６ｃ、２８ｃが向き合い形成される押孔を有し、この押孔に指や棒等を押し込めば容易に開放できるから、前記押孔付きボックス１０は、その底板１２を開放すれば、折り畳むことができる。例えば、内側天板２２、２４と外側天板２６、２８を各々の側板１４に沿って上方に折る。次に、（７Ａ）の天板と同様に、前記底板１２に外側底板と内側底板（ここでは、図示していない）が設けられ、前記底板１２を開放し、前記外側底板と前記内側底板を前記各々の側板１４に沿って下方に折る。次に、前記押孔付きボックス１０の対角線上に対向する２つの側板折線１１（一方は図示していない）に対し、それらの両側にある各側板１４が略同一平面上にあるように、側板１４を開く。よって、前記押孔付きボックス１０の側板１４や内側天板２２，２４と外側天板２６、２８、更に前記外側底板と前記内側底板を重ね、前記押孔付きボックス１０を略板状に変形し、その後、自在に折り畳むことができる。前記底板１２が図１〜６に示した天板２０と同じ構造を有することにより、さらに簡単に前記底板１２を開放することができる。即ち、図１の天板と同様に、前記底板１２に設けられた外側底板の外側端縁（「底板外側端縁」とも称する）に向き合って押孔を形成する底板の外側半孔（「底板外側半孔」とも称する）が１つ以上設けられる。よって、前記天板２０を開放する操作と同様に、前記底板１２を簡単に開放することができ、前記押孔付きボックス１０を略板状に変形し、その後、自在に折り畳むことができる。
【００３５】
図８は、本発明に係る飲料バッグを内蔵する２個の押孔３４を有した押孔付きボックス１０の構成斜視図であり、（８Ａ）は天板２０を開放した状態の押孔付きボックス１０の斜視図、（８Ｂ）は天板２０を閉鎖した状態の押孔付きボックス１０の斜視図である。図８の（８Ｂ）に示すように、図１（１Ｂ）の押孔付きボックス１０に対し、２個の押孔３４が設けられている。即ち、（８Ａ）に示すように、外側天板２６の外側端縁２６ｂに外側半孔２６ｃが２つ切欠形成され、外側天板２８の外側端縁２８ｂに外側半孔２８ｃが２つ切欠形成されている。従って、（８Ｂ）に示すように、天板２０を閉鎖した状態では、２つの外側半孔２６ｃと２つの外側半孔２８ｃが各々向き合って、２個の押孔３４が形成される。ここで、２個の押孔３４は、内側端縁線３０を挟んで略対象に形成されている。尚、飲料バック２の内蔵位置は、図１と同様である。
【００３６】
図９は、本発明に係る２個の押孔３４を有した押孔付きボックス１０の一つの押孔３４に親指４０を押し込んで内側天板２２を外側天板２８から分離する概略説明断面図である。２個の押孔３４のうち、１個ずつ親指４０を押し込み、内側天板２２を外側天板２８から分離する操作は、図３の説明で記載した操作と略同じであり、親指４０を押し込んで内側天板２２を押すことにより、接着跡部４２を形成する。次に、もう１つの押孔３４に親指４０を押し込み、内側天板２２を外側天板２８から分離することによって、接着跡部４２をより多く形成し、容易に外側天板２８を開放することができる。
【００３７】
図１０は、本発明に係る２個の押孔３４を有した押孔付きボックス１０のもう一つの押孔３４に親指４０を押し込んで内側天板２４を外側天板２８から分離する概略説明断面図である。２個の押孔３４を有した押孔付きボックス１０では、図に示すように、もう一つの押孔３４に親指４０を押し込んで内側天板２４を外側天板２８から分離することができる。即ち、図１０は、図８の断面を示しており、実際には、内側天板２４の側の押孔３４に親指４０を押し込み、内側天板２４を押すことにより、前記内側天板２４の上面を接着する接着剤部２６ｄ、２８ｄ（図８参照）の接着を弱め、全部又は１部の接着剤部２６ｄ、２８ｄを図１０の接着跡部４２の状態又はその前駆状態にすることができる。同様に、図９において、最初に親指４０を押し込み、内側天板２４を分離させたときも、前記内側天板２４の側の接着剤部２６ｄ、２８ｄにおける全部又は１部の接着を弱め、さらに前記接着跡部４２の状態又はその前駆状態とすることができる。よって、図８の（９Ｂ）に示した外側天板２６、２８をより簡単に開放できる状態となる。前述のように、図８の（８Ｂ）において、２個の押孔３４が内側端縁線３０を挟んで略対象に形成されていることから、２個の押孔３４を指等で押し込み、内側端縁線３０の両側にある内側天板２２、２４との接着を分離することができる。更に、図１０に示すように、飲料バックは柔軟であり、飲料４４で満たされているから、２個の押孔３４を同時に押し込んでも良く、より早く前記内側天板２２、２４と外側天板２６、２８との接着を分離することができる。
【００３８】
図１１は、本発明に係る２個の押孔の外側半孔２８ｃ、２８ｃを夫々指で引き上げて外側天板２８を内側天板２２、２４から分離する概略説明斜視図である。図９、１０の説明に記載した操作により、前記外側天板２８と内側天板２２、２４の接着剤部２６ｄ、２８ｄにおける全部又は１部の接着を弱め、さらに前記接着跡部４２の状態又はその前駆状態とすることができる。従って、より簡単に前記外側天板２８が開放される。さらに、２個の押孔の外側半孔２８ｃ、２８ｃを左右の親指４０、４０の腹で引き上げることができ、極めて簡単に前記外側天板２８が開放される。
【００３９】
図１２は、本発明に係る２個の押孔のもう一方の外側半孔２６ｃ、２６ｃを指で引き上げて外側天板２６を内側天板２２、２４から分離する概略説明斜視図である。図１１と同様に、図９、１０の説明に記載した操作により、前記外側天板２６と内側天板２２、２４の接着剤部２６ｄ、２８ｄにおける全部又は１部の接着を弱められ、さらに前記接着跡部４２の状態又はその前駆状態となる。従って、２個の押孔の外側半孔２８ｃ、２８ｃを左右の親指４０、４０の腹で引き上げれば、極めて簡単に前記外側天板２８が開放される。
【００４０】
図１３は、本発明に係る２個の押孔を有した押孔付きボックス１０において外側天板２６、２６と内側天板２２、２４を完全に開放した概略説明斜視図である。図９〜１２を示して説明した操作を行うことにより、図１３のように、押孔付きボックス１０において外側天板２６、２８と内側天板２２、２４を完全に開放することができる。図１３の押孔付きボックス１０では、２つの外側半孔２６ｃ、２６ｃと２つの外側半孔２８ｃ、２８ｃが各々向き合い２個の押孔を形成する。よって、指等を押孔に押し込めば、外側天板２６、２８の内側と内側天板２２、２４の上面を接着する接着剤部をより簡単且つ迅速に分離することができ、押孔付きボックス１０から飲料バック２を取り出すことができる。図１３では、外側天板２６、２８の内側と内側天板２２、２４の上面に各々対応する接着跡部４２が形成されている。
【００４１】
図１４は、本発明に係る２個の押孔を有した押孔付きボックス１０の天板を開放して飲料バッグ２を取り出した状態の概略説明斜視図で、（１４Ａ）は天板を開放して飲料バッグ２が取り出された押孔付きボックス１０、（１４Ｂ）は押孔付きボックス１０から取り出された飲料バッグ２である。前述のように、２個の押孔を形成することによって、指等を押孔に押し込めば、接着剤部をより簡単且つ迅速に分離することができ、（１４Ａ）の押孔付きボックス１０から（１４Ｂ）の飲料バック２を取り出すことができる。更に、前記底板１２が図８の天板２０と同様に外側底板と内側底板（これらは図示されていない）から構成され、各外側底板の底板外側端縁に向き合って押孔を形成する外側半孔が２つ設けられる。前記天板２０が閉鎖状態で２つの押孔を有する場合、前述のように、前記天板２０を簡単に開放することができ、前記押孔付きボックス１０は、同様に底板１２を開放することができ、簡単に折り畳むことができる。図７の説明で説明したように、図１４の内側天板２２、２４と外側天板２６、２８を各々の側板１４に沿って上方に折り、同様に、前記底板１２を開放し、前記押孔付きボックス１０の各側板１４、外側天板２２、２４と内側天板２６、２８、更に、底板を構成する外側底板と内側底板を板状に重ね、自在に折り畳むことができる。
【００４２】
図１５は、本発明に係る押孔付きボックス１０を板状に変形した時の構成概略図である。前述のように、前記押孔付きボックス１０は、押孔に指や棒等を押し込めば、天板や底板を簡単に開放できるから、容易に折り畳むことができる。図１５に示すように、外側天板２６、２８と内側天板２２、２４を各々の側板１４に沿って上方に折り、同様に、外側底板５６、５８と内側底板５２、５４を前記各々の側板１４に沿って下方に折る。次に、一方の対角に位置する一対の側板折線１１に対し、その両側にある各側板１４を開き、前記側板折線１１を挟んで２つの側板１４が略同一平面上になるように、他方の対角にある一対の側板折線１１を略完全に折り畳む。よって、前記押孔付きボックス１０の側板１４や内側天板２２、２４と外側天板２６、２８のうち、その内側が向き合うものを重ね、前記内側底板５２、５４と前記外側底板５６、５８のうち、その内側が向き合うものを重ね、前記押孔付きボックス１０を略板状に変形して、自在に折り畳むことができる。
更に、図１の天面２０と同様に、図１５の押孔付きボックス１０は、前記外側底板５６、５８の底板自由端縁となる底板外側端縁５６ｂ、５８ｂに、底板外側半孔５６ｃ、５６８ｃが切欠形成される。従って、図１５の押孔付きボックス１０を箱状に形成すると、左右一対の前記内側底板５２、５４の底板内側端縁５２ｂ、５２ｂを突き合せて底板内側端縁線を出現させ、前記内側底板５２、５４を折り畳み、前後一対の前記底板外側端縁５６ｂ、５８ｂを突き合せて底板外側端縁線を出現させ、前記外側底板５６、５８を折り畳んだとき、前記底板外側半孔５６ｃ、５８ｃが対向して底板押孔が形成される。更に、この底板押孔は、図１の天板２０の押孔３４と同様に、前記底板内側端縁線（図示せず）から左右にずれた位置に形成され、前記内側底板５２、５４と外側底板５６、５８が複数個の接着剤部により接着される。よって、簡単に前記底板を開放することができ、前記天板２０を開放すると共に、前記底板１２を簡単に開放し、前記押孔付きボックス１０を略板状に変形し、自在に折り畳むことができる。
【００４３】
尚、本発明は上記実施形態に限定されるものではなく、本発明の技術的思想を逸脱しない範囲における種々変形例、設計変更などをその技術的範囲内に包含するものであることは云うまでもない。
【産業上の利用可能性】
【００４４】
本発明によれば、より簡単な構造及びより簡単な操作で押孔付ボックスの天板を開放し、より簡単にバックインボックスに内蔵された飲料バックを取り出すことができ、飲料バッグの交換が容易で、さらに飲料バッグを目的に応じて簡単に利用することが可能な飲料バッグ内蔵用の押孔付ボックスを提供することができる。更に、簡単に前記押孔付きボックスの天板を開放できるから、底板を開放し、押孔付ボックスを容易に折り畳むことができ、前記押孔付きボックスの回収作業等をより効率的に行うことができる。
【符号の説明】
【００４５】
１        バッグインボックス
２        飲料バッグ
２ａ      バッグへこみ部
２ｂ      バッグへこみ部
４        バッグ天面
６        バッグ周面
７        吐出口
８        バッグ底面
１０      押孔付きボックス
１２      底板
１４      側板
２０      天板
２２      内側天板
２２ａ    内側折線
２２ｂ    内側端縁
２４      内側天板
２４ａ    内側折線
２４ｂ    内側端縁
２６      外側天板
２６ａ    外側折線
２６ｂ    外側端縁
２６ｃ    外側半孔
２６ｄ    接着剤部
２８      外側天板
２８ａ    外側折線
２８ｂ    外側端縁
２８ｃ    外側半孔
２８ｄ    接着剤部
３０      内側端縁線
３２      外側端縁線
３４      押孔
４０      指
４２      接着跡部
４４      飲料
５２      内側底板
５２ａ    底板内側折線
５２ｂ    底板内側端縁
５４      内側底板
５４ａ    底板内側折線
５４ｂ    底板内側端縁
５６      外側底板
５６ａ    底板外側折線
５６ｂ    底板外側端縁
５６ｃ    底板外側半孔
５８      外側底板
５８ａ    底板外側折線
５８ｂ    底板外側端縁
５８ｃ    底板外側半孔
１００    バックインボックス
１１０    内袋
１１７    注出部材
１２０    外箱
１２１    蓋部
１２２    底部
１２３    胴部
２００    テープ
【図１】
2013039933.tif 000003
【図２】
2013039933.tif 000004
【図３】
2013039933.tif 000005
【図４】
2013039933.tif 000006
【図５】
2013039933.tif 000007
【図６】
2013039933.tif 000008
【図７】
2013039933.tif 000009
【図８】
2013039933.tif 000010
【図９】
2013039933.tif 000011
【図１０】
2013039933.tif 000012
【図１１】
2013039933.tif 000013
【図１２】
2013039933.tif 000014
【図１３】
2013039933.tif 000015
【図１４】
2013039933.tif 000016
【図１５】
2013039933.tif 000017
【図１６】
2013039933.tif 000018